(57)【要約】【課題】冷凍サイクルの凝縮熱を有効活用出来る冷房装置付きトイレ装置を提供すること。【解決手段】凝縮器４の凝縮熱により浴槽１０の水１１を温め、温められた水１１を入浴に使用することで、凝縮熱を無駄に捨てることがなくなる為省資源省エネルギーが図れる。【選択図】　図１
2004100981.tif 000002
【特許請求の範囲】
【請求項１】
冷凍サイクルを構成する圧縮機、凝縮器、蒸発器と、送風機と、蒸発器と送風機によって発生する冷風をトイレ室内に吹き出す構成において、前記凝縮器で発生する熱により浴槽の水を昇温する構成とした冷房装置付きトイレ装置。
【請求項２】
凝縮器と熱的に結合した管路を有し、前記管路内を浴槽の水が循環する構成とした請求項１に記載の冷房装置付きトイレ装置。
【請求項３】
凝縮器で発生する熱を吸熱する吸熱部と、浴槽の水に放熱する放熱部と、前記吸熱部と前記放熱部との間で熱媒を循環させる循環路からなる請求項１に記載の冷房装置付きトイレ装置。
【請求項４】
凝縮器で発生する熱をロータンクの水に放熱する放熱手段を設けた請求項１〜３に記載の冷房装置付きトイレ装置。
【発明の詳細な説明】
【０００１】
【発明の属する技術分野】
本発明は、トイレ装置に関し、特に冷房機能を備えたトイレ装置に関するものである。
【０００２】
【従来の技術】
トイレ部屋内を冷房する装置として図５に示すような冷房装置付きトイレ装置（一部透視の概略構成図である。）がある。図５において、１はケースで、その中に、便器洗浄を行うための洗浄水を貯水するロータンク２と、冷房装置として圧縮機３、凝縮器４、減圧手段５、蒸発器６、送風機７が内蔵されている。ケース１には吹出口８が開口している。９は便器である。
【０００３】
次に動作、作用について説明する。圧縮機３によって圧縮された冷媒は高温高圧の気体となり、凝縮器４に送り込まれる。凝縮器４では冷媒はロータンク２に満たされた水に凝縮熱を放熱して高圧のまま凝縮し液体となる。その後、冷媒は減圧手段５によって減圧され、蒸発器６によって蒸発気化する。この時、蒸発器６には送風機７によって風が通り、風は気化熱により冷やされた後に吹出口８から吹き出る。蒸発気化した冷媒は再び圧縮機３に戻って圧縮され、これを繰り返して冷凍サイクルが形成される。この様にして、トイレ装置から冷風を出し、冷房を行うことができる。ルームエアコンの室外機のような熱気を出すこともなく、また、冷風発生と凝縮熱の放熱がトイレ装置のケース内に収まり、コンパクトな冷房装置付きトイレ装置を構成することができる。
【０００４】
【発明が解決しようとする課題】
しかしながら、前記従来の冷房装置付きトイレ装置では、凝縮器４で発生する凝縮熱はロータンク２内の水に放熱されるため、長時間冷凍サイクルが運転されるとロータンク２内の水の温度が上昇し凝縮器４での熱交換効率が落ちる。そこで熱交換率を維持するためにロータンク２内の水の温度が一定以上高くなると、ロータンク２内の水を排水し、新たな冷水を供給していた。従って加熱された有益な湯を無駄に捨てていた。近年資源の有効活用が求められており、排水されるお湯の有効活用が必要であった。
【０００５】
本発明は、前記従来の課題を解決するもので、排水されるお湯の有効活用が出来る構成とした冷房装置付きトイレ装置を提供することを目的とする。
【０００６】
【課題を解決するための手段】
前記従来の課題を解決するために、本発明の冷房装置付きトイレ装置は、凝縮器の熱により浴槽の水を昇温する構成としたものである。これによって、お湯を無駄に捨てることなく、凝縮器の凝縮熱で昇温されたお湯を浴槽の湯として有効に使用でき省資源、省エネルギーが達成できる。また冷房装置付きトイレ装置の設置されるトイレも浴槽のある浴室も水周りの設備なので屋内の中ではほとんど隣接して位置しており（バスユニットは同じ室内にある）冷房装置付きトイレ装置の凝縮熱で浴槽内の水を温める構成は、屋内のそれぞれの位置関係を考慮した場合無理のない合理的な組み合わせと考えられる。
【０００７】
【発明の実施の形態】
請求項１に記載の発明は、冷凍サイクルを構成する圧縮機、凝縮器、蒸発器と、送風機と、蒸発器と送風機によって発生する冷風をトイレ室内に吹き出す構成において、前記凝縮器で発生する熱により浴槽の水を昇温する構成としたので従来排水されていたお湯を有効に活用できる。
【０００８】
請求項２に記載の発明は、凝縮器と熱的に結合した管路を有し、前記管路内を浴槽の水が循環する構成とした為に常に浴槽内の水が攪拌され低い温度の水で凝縮器と熱交換が行われるため、効率良く熱交換ができる。
【０００９】
請求項３に記載の発明は、凝縮器で発生する熱を吸熱する吸熱部と、浴槽の水に放熱する放熱部と、前記吸熱部と前記放熱部との間で熱媒を循環させる循環路からなる構成とした為に、循環路に浴槽の水が流れないので、循環路に浴槽の湯垢が付かず清潔であると共に、循環路が腐食することがない。
【００１０】
請求項４に記載の発明は、凝縮器で発生する熱をロータンクの水に放熱する手段を設けた構成としたので、浴槽に水がない状態が発生してもロータンク内の水により凝縮器の熱が放熱されるので冷凍サイクルが成立し機器の運転が停止することがない。
【００１１】
【実施例】
以下、本発明の実施例について図面を用いて説明する。
【００１２】
（実施例１）
図１は本発明の実施例１の冷房装置付きトイレ装置の冷凍サイクルと浴槽の概略システム図である。なお、従来例と同じ機能の部品には、同じ符号を付与して、説明を省略する。
【００１３】
図１において、１０は浴槽であり、１１は浴槽１０の中に貯水されている水である。浴槽１０の内側には凝縮器４があり、貯水されている水１１と接している。
【００１４】
次に動作、作用について説明する。圧縮機３によって圧縮された冷媒は高温高圧の気体となり、凝縮器４に送り込まれる。凝縮器４では冷媒は浴槽１０に貯水された水１１に凝縮熱を放熱して高圧のまま凝縮し液体となる。そこで浴槽１０に貯水された水１１は、昇温され入浴に使用できる。
【００１５】
従って、従来排水されていたお湯を有効に活用でき省資源、省エネルギーが実現できる。
【００１６】
（実施例２）
図２は本発明の実施例２の冷房装置付きトイレ装置の冷凍サイクルと浴槽への熱の搬送方法の概略システム図である。なお、従来例、実施例１と同じ機能の部品には、同じ符号を付与して説明を省略する。
【００１７】
図２において、１９は浴槽の水を循環させるための管路であり、この管路１９の一部である１９ａは凝縮器４と熱的に結合している吸熱部である。１３は浴槽１０の水１１を管路１９に通水し、還流させるポンプであり、矢印で示すように、浴槽１０の水１１が環流するように構成されている。
【００１８】
次に動作、作用について説明する。凝縮器４により放熱された凝縮熱は、熱的に結合されている吸熱部１９ａにより管路１９内の水を温める。この水は、ポンプ１３により矢印の順路で流れ、暖められた水が浴槽１０の水１１の上部に排出され、冷たい浴槽１０の下層の水１１は、ポンプ１３により管路１９により吸熱部１９ａに送り込まれ凝縮器４の凝縮熱により加熱される。この構成により常に浴槽１０の中で最も低温の水が吸熱部１９ａに送り込まれるため効率のよい熱交換が行われる事で浴槽１０の水１１の温度上昇が高くなり入浴に適した湯が得られる。
【００１９】
（実施例３）
図３は本発明の実施例３の冷房装置付きトイレ装置の冷凍サイクルと浴槽への熱の搬送方法の概略システム図である。なお、従来例、実施例１、２と同じ機能の部品には、同じ符号を付与して説明を省略する。
【００２０】
図３において、１４は吸熱部１２で吸熱した熱により浴槽１０の水１１を昇温するための放熱部である。尚吸熱部１２とポンプ１３と放熱部１４は配管２０ａ、２０ｂ、２０ｃで結合されて循環路２０が形成されており、循環路２０中を、熱媒（例えばエチレングリコール等図示せず）がポンプ１３により循環している。
【００２１】
次に動作、作用について説明する。凝縮機４の凝縮熱で吸熱部１２の中の熱媒の温度を上昇させる。この上昇した熱媒をポンプ１３により循環させることで、放熱部１４で温度の高い熱媒と浴槽１０内の水１１を熱交換して、水１１を昇温させ入浴に適した温度にする。このような構成にしたので、細い配管内や吸熱部１２、放熱部１４、ポンプ１３内を浴槽１０の水１１が流れないので、湯垢による配管の詰まりや水１１の汚れがなく清潔である。さらに熱媒には、防錆作用のある液体を使用すれば、配管の錆び等が防止でき耐久性のある冷房装置付きトイレ装置が提供できる。
【００２２】
（実施例４）
図４は本発明の実施例４の冷房装置付きトイレ装置の冷凍サイクルと浴槽とロータンクへの熱の搬送方法の概略システム図である。なお、従来例、実施例１〜３と同じ機能の部品には、同じ符号を付与して説明を省略する。
【００２３】
図４において、１５は浴槽内の水１１の水位を検出する水位センサー、１６は凝縮器４と熱的に結合している第２吸熱部、１７は第２吸熱部で昇温された熱媒を循環させるための第２のポンプ、１８は第２吸熱部１６で吸熱した熱によりロータンク２内の水を昇温するための第２放熱部である。尚第２吸熱部１６とポンプ１７と第２放熱部１８は配管により閉回路が形成されており閉回路は、熱媒（例えばエチレングリコール等図示せず）がポンプ１７により循環している。
【００２４】
次に動作、作用について説明する。実施例３と同様の部品は同様の動作、作用を有しており説明を省略する。浴槽１０内の水１１が無いかもしくは少ない場合に水位センサー１５が浴槽１０の水位を検出して、ポンプ１３の運転をせずに、第２のポンプ１７を運転することで、凝縮機４の凝縮熱で第２吸熱部１６の中の温度の上昇した熱媒を、循環させることで、第２放熱部１８で温度の高い熱媒とロータンク２内の水を熱交換することにより、凝縮器４の凝縮熱を放熱できる。このような構成にしたので、浴槽１０内に水１１が無いかもしくは少ない場合でも、冷凍サイクルが成立し冷房装置付きトイレ装置の冷房機能が達成できる。
【００２５】
【発明の効果】
以上のように、本発明の冷房装置付きトイレ装置によると、従来排水されていたお湯の有効活用が出来る冷房装置付きトイレ装置を提供できる。
【図面の簡単な説明】
【図１】本発明の実施例１の冷房装置付きトイレ装置の概略システム構成図
【図２】本発明の実施例２の冷房装置付きトイレ装置の概略システム構成図
【図３】本発明の実施例３の冷房装置付きトイレ装置の概略システム構成図
【図４】本発明の実施例４の冷房装置付きトイレ装置の概略システム構成図
【図５】従来の冷房装置付きトイレ装置の一部透視の概略構成図
【符号の説明】
２　ロータンク
３　圧縮機
４　凝縮器
６　蒸発器
７　送風機
１０　浴槽
１１　水
１２　吸熱部
１４　放熱部
１９　管路
１８　第２放熱部（放熱手段）
２０　循環路
【図１】
2004100981.tif 000003
【図２】
2004100981.tif 000004
【図３】
2004100981.tif 000005
【図４】
2004100981.tif 000006
【図５】
2004100981.tif 000007